(57)【要約】【課題】空調設備における放熱／送風ユニットの排気エネルギー再生による風力発電の方法および装置の提供。【解決手段】本発明は、排気による風力エネルギーを発生させる動力側があり、従動選択駆動装置が当該動力側上方におけるあらかじめ定められた位置に設置されており、伝達された排気風力エネルギーを受けて当該従動選択駆動装置を回転させ、機械エネルギーを電気エネルギーに変換し、電力変換装置が当該従動選択駆動装置から伝達されてきた電流を受けて、電流の直流DC／交流ACの調整変換を行った後で出力するものであって、上述の方法によって、当該動力側において発生する排気風力エネルギーを利用して電気エネルギーに変換し、一般電力使用の節減と電気エネルギー効率の向上に貢献し、同時に排気エネルギー利用で環境保護要求にも符合している、「空調設備における放熱／送風ユニットの排気エネルギー再生による風力発電の方法および装置」を提供するものである。【選択図】図２
2006291946.tif 000002
【特許請求の範囲】
【請求項１】
空調ユニットであって、運転に当たり排気風力エネルギーを発生させる動力側、
風力エネルギーを利用して動力伝達する一個以上の発電ユニットであって、当該動力側上方の定められた位置に設けられ、排気風力エネルギーを受けて動力伝達し、従動選択駆動装置が回転することにより、機械エネルギーを電気エネルギーに変換するような従動選択駆動装置、
および各発電ユニットと接続されており、同時併用方式で各発電ユニットから送られてくる電流を接受する制御装置、
電力調整コントローラであって、当該従動選択駆動装置から送られてきた電流を受けて、交流ＡＣおよび直流ＤＣの調整変換を行った後設定電圧を出力するような電力変換装置、
を包含し、これらの構成ユニットが各空調ユニットにおける排気風力エネルギーの回収ならびに電気エネルギーへと変換を行うことにより、エネルギーを節減し、電気エネルギー効率を向上させるような、空調設備における放熱／送風ユニットの排気エネルギー再生による風力発電の装置。
【請求項２】
請求項１記載の空調設備における放熱／送風ユニットの排気エネルギー再生による風力発電の装置において、各発電ユニットおよび電力調整コントローラの間に電流レギュレータが設けられ、電流調整の機能を発揮することを特徴とする空調設備における放熱／送風ユニットの排気エネルギー再生による風力発電の装置。
【請求項３】
請求項１記載の空調設備における放熱／送風ユニットの排気エネルギー再生による風力発電の装置において、各発電ユニットおよび電力調整コントローラの間にバッテリーが設けられ、蓄電機能を発揮することを特徴とする空調設備における放熱／送風ユニットの排気エネルギー再生による風力発電の装置。
【請求項４】
請求項１記載の空調設備における放熱／送風ユニットの排気エネルギー再生による風力発電の装置において、各発電ユニットおよび電力調整コントローラの間に電流レギュレータおよびバッテリーがこの順に従って設けられ、電流レギュレータにおいて調整された電流がバッテリーに蓄電されることを特徴とする空調設備における放熱／送風ユニットの排気エネルギー再生による風力発電の装置。
【請求項５】
請求項１記載の空調設備における放熱／送風ユニットの排気エネルギー再生による風力発電の装置において、当該従動選択装置が直流発電機であって、電力変換装置を経て出力、供給されるまでの段階において、各発電ユニットおよび電力調整コントローラの間に直流充電器、バッテリーおよびインバータがこの順に従って増設され、直流発電機が運転、発電後、その電流は直流充電器、バッテリーおよびインバータの順に流れ、最後に配電ボックスに送られてから出力、供給されることを特徴とする空調設備における放熱／送風ユニットの排気エネルギー再生による風力発電の装置。
【請求項６】
請求項１記載の空調設備における放熱／送風ユニットの排気エネルギー再生による風力発電の装置において、当該従動選択装置が交流発電機であって、電力変換装置を経て出力、供給されるまでの段階において、各発電ユニットおよび電力調整コントローラの間に電流電圧レギュレータが増設され、交流発電機が運転、発電後、その電流は電流電圧レギュレータに送られ、最後に配電ボックスに送られてから出力、供給されることを特徴とする空調設備における放熱／送風ユニットの排気エネルギー再生による風力発電の装置。
【請求項７】
請求項１記載の空調設備における放熱／送風ユニットの排気エネルギー再生による風力発電の装置において、当該従動選択装置が交流発電機であって、電力変換装置を経て出力、供給されるまでの段階において、各発電ユニットおよび電力調整コントローラの間にコンバータ、バッテリーおよびインバータがこの順に従って増設されており、交流発電機が運転、発電後、その電流はコンバータ、バッテリー、インバータの順に流れ、最後に配電ボックスに送られてから出力・供給されることを特徴とする空調設備における放熱／送風ユニットの排気エネルギー再生による風力発電の装置。
【請求項８】
請求項１記載の空調設備における放熱／送風ユニットの排気エネルギー再生による風力発電の装置において、数台の当該従動選択装置が同時併用され、おのおのが数台の動力側上方に取付けられていることを特徴とする空調設備における放熱／送風ユニットの排気エネルギー再生による風力発電の装置。
【請求項９】
請求項１記載の空調設備における放熱／送風ユニットの排気エネルギー再生による風力発電の装置において、当該動力側に動力補助装置が含まれ、当該送風口に設けられていることを特徴とする空調設備における放熱／送風ユニットの排気エネルギー再生による風力発電の装置。
【請求項１０】
請求項９記載の空調設備における放熱／送風ユニットの排気エネルギー再生による風力発電の装置において、当該動力補助装置において、当該ファンの回転軸上に第一歯車組が取付けられ当該ファンと同時に回転し、第二歯車組が当該発電ユニットと同軸上に取付けられ、当該第一歯車組からの動力伝達を受けて同時に回転して当該発電ユニットを駆動させることを特徴とする空調設備における放熱／送風ユニットの排気エネルギー再生による風力発電の装置。
【請求項１１】
請求項９記載の空調設備における放熱／送風ユニットの排気エネルギー再生による風力発電の装置において、当該動力補助装置において、当該ファンの回転軸上に第一アイドラーギアセットが取付けられ当該ファンと同時に回転し、第二アイドラーギアセットが当該発電ユニットと同軸上に取付けられ、当該第一アイドラーギアセットからの動力伝達を受けて同時に回転して当該発電ユニットを駆動させることを特徴とする空調設備における放熱／送風ユニットの排気エネルギー再生による風力発電の装置。
【請求項１２】
ａ. 従動選択駆動装置を動力側に装着、発電ユニットを空調ユニットの上方に設け、ファンを当該空調ユニットにおける送風口のある箇所に設置する、
ｂ. 当該動力側から排気風力エネルギーが発生、当該空調ユニット運転に当たり内部の熱交換器から風力エネルギーが発生し、当該送風口から排出される、
ｃ. 排気風力エネルギーを利用して当該従動選択駆動装置を駆動させ電気エネルギーに変換、発電ユニットを利用して風力エネルギーを再生させると同時に機械エネルギーに変換、更に電気エネルギーへと変換する、
ｄ. 電力変換装置を経て出力、電力供給、電流を電力調整コントローラに送り、交流ＡＣおよび直流ＤＣの調整変換を行った後設定電圧を出力する、
以上のステップを包含することを特徴とする、空調設備における放熱／送風ユニットの排気エネルギー再生による風力発電の方法。
【請求項１３】
少なくとも直流発電機が設けられ、空調ユニットまたは通風設備による強制駆動を受けて発電を行う一次負荷側、
当該直流発電機と接続され、強制駆動を受けて発電された電気エネルギーを受けて蓄電し、二次負荷側に送電する直流充電器、
少なくとも直流モーターと交流発電機が一体になった同時発電装置が設けられ、当該同時発電装置がバッテリーの電気エネルギーを受けて電圧電流を出力する二次負荷側、
を包含した空調設備における放熱／送風ユニットの排気エネルギー再生による風力発電の装置において、
一次側負荷を風力エネルギーにより強制駆動させ、さらに中間の充電装置を経て直流／交流発電機が一体化された同時発電装置を駆動させ、配電ボックスに送って出力供給を行うようなプロセスを含む、空調設備における放熱／送風ユニットの排気エネルギー再生による風力発電の装置。
【発明の詳細な説明】
【技術分野】
【０００１】
本発明は、特に空調ユニット内において使用され、そこから安定的に排出される排気風力エネルギーを利用、回収して、電気エネルギーに変換した後、出力して電力供給する、または蓄電するものであって、良好な電力供給効率を維持でき、同時に排気エネルギー再生方式により電力使用とコストを低減でき、環境保護にも符合してる風力発電結構に関するものである。
【背景技術】
【０００２】
地球は人口が過密化し、地下資源もますます不足してきている。経済の発展にともない、世界各地のエネルギー需要も飛躍的に伸びており、経済活動の活発化がエネルギー需要に拍車をかけているが、エネルギー使用量過多による地球温暖化の深刻化、自動車の排ガスが引き起こす大気汚染、酸性雨およびその他もろもろのエネルギー汚染問題は、人類がエネルギー使用や経済発展と環境保護や生態保護の間で取捨を迫られる難題となっている。エネルギー節減の重要性に鑑みて、エネルギー使用の減少またはエネルギー使用効率の向上、そしてエネルギー汚染の減少等は、すべてが省エネルギーに当たっての優先政策であって、地球村の住人たる人類が極力重視するべき一環の課題である。
【０００３】
現代はすべて電化の時代であって、人類にとって電気エネルギーは不可欠の必需品。一般的には、電気エネルギーは地球環境におけるエネルギー（たとえば、熱、水力、風力、原子力等）から転換されたものであって、このような再生エネルギー利用の過程は、先に元のエネルギーを熱機構または水力、風力機構を経て機械エネルギー（動力）に転換し、さらに機械エネルギーを電気エネルギーに変換するものであって、今では風力発電開発が最も潜在能力を有していると見られている。
【０００４】
風力発電の原理は、空気が流動するときに発生する風圧を利用して、風力機のブレードを回転させ、発電機を駆動させて発電させるものであって、このため、風力発電機は風力エネルギーを機械エネルギーに変換し、さらにこれを電気エネルギーに変換するというエネルギー変換方式である。
【０００５】
発明者は、目下産業界において使用されている水冷式集中管理式空調系統に注目した。当該系統の運転時間は約八時間以上、特にビルまたは大型工場を例にとると、ほとんどが二基以上の集中管理式空調系統しかも二十四時間交替運転を採用している。その付属設備である冷却塔の主な機能は、水と強制通風により熱交換を発生させ、空調機本体の運転中に冷却機および負荷側に発生した熱エネルギーを放熱させ直接大気中に排出するものだが、これが有効に回収再利用されていないのは一種のエネルギー浪費ともいえ、ゆえに排気エネルギーと風力発電機を設計上結合して、その排気の再生利用を研究するに至った。
【発明の開示】
【発明が解決しようとする課題】
【０００６】
従来の風力発電装置（８０）は、図１１に示すように、ブレード（８２）を具備する風力発電機（８１）が主要結構を成し、自然の風を利用して当該ブレード（８２）を回転させ、当該ブレード（８２）の回転軸上に設けられたモーター（８３）を回転させて機械エネルギーとし、当該モーター（８３）に接続された発電ユニット（８４）は機械エネルギーを電気エネルギーに変換し、風力制御装置（８５）まで送り、その後バッテリー（８６）まで送って、最後に電力コントローラ（８７）に送って、そこから出力する。或いは太陽エネルギー発電ユニット（９１）を増設する場合には、図１２に示すように、太陽エネルギー制御装置（９２）を追加接続して電流を制御することにより、二種のエネルギーからの供給を受けて発電量を増加させることが可能となる。
【０００７】
上述の結構は、すべて風力をエネルギー源としており、各種技術機器をもって機械エネルギーを得て、発電機まで送って電気エネルギーに変換するものである。しかし、上述の結構は、どれも大型風力変換ユニットを併用しなければならず、コスト高につき、占有面積が大きい。しかも、風力によって駆動力を得るに当たり、風量または日照不足といった事態が発生すると、発電持続が不可能となり、発電効率を低下させることになる。本発明は、空調ユニットの強制通風の特性を利用して発電用ファンを回転させ、安定した動力源を得ることにより、再生エネルギーの持つ不安定性および間歇性の問題、そして大型機器の置き場所問題を改善し、省エネルギーおよび環境保護に貢献し、結構上の改良を行うものである。
【０００８】
本発明の主要な目的は、排気エネルギーを利用して、空調ユニットから排出された排気の風力エネルギーを電気エネルギーに変換し、きわめて環境保護性を具備する「空調設備における放熱／送風ユニットの排気エネルギー再生による風力発電の方法」を提供することである。
【０００９】
本発明の二番目の目的は、きわめて優れた電気エネルギー供給を達成し、一般電力使用を節減してコストを低下させるような、「空調設備における放熱／送風ユニットの排気エネルギー再生による風力発電の方法」を提供することである。
【００１０】
本発明の三番目の目的は、出力電気エネルギーを安定化させ、元来の風力発電機が有する不安定性と間歇性の問題を解決するような、「空調設備における放熱／送風ユニットの排気エネルギー再生による風力発電の方法」を提供することである。
【００１１】
本発明の四番目の目的は、各種の放熱式または通風式空調ユニットに適用可能であって、多数を併用して同時使用すれば、より大きな省エネルギー効果を発揮するような、「空調設備における放熱／送風ユニットの排気エネルギー再生による風力発電の方法」を提供することである。
【００１２】
前述の問題を解決するために、本発明は、排気による風力エネルギーを発生させる動力側があり、従動選択駆動装置が当該動力側上方におけるあらかじめ定められた位置に設置されており、伝達された排気風力エネルギーを受けて当該従動選択駆動装置を回転させ、機械エネルギーを電気エネルギーに変換し、当該従動選択駆動装置から伝達されてきた電流を受けた電力変換装置が、電流の直流ＤＣ／交流ＡＣの調整変換を行った後で出力するものであって、上述の方法によって、当該動力側において発生する排気風力エネルギーを利用して電気エネルギーに変換し、一般電力使用の節減と電気エネルギー効率の向上に貢献し、同時に排気エネルギー利用で環境保護要求にも符合している、「空調設備における放熱／送風ユニットの排気エネルギー再生による風力発電の方法」を提供するものである。
【課題を解決するための手段】
【００１３】
請求項１の発明は、空調ユニットであって、運転に当たり排気風力エネルギーを発生させる動力側、
風力エネルギーを利用して動力伝達する一個以上の発電ユニットであって、当該動力側上方の定められた位置に設けられ、排気風力エネルギーを受けて動力伝達し、従動選択駆動装置が回転することにより、機械エネルギーを電気エネルギーに変換するような従動選択駆動装置、
および各発電ユニットと接続されており、同時併用方式で各発電ユニットから送られてくる電流を接受する制御装置、
電力調整コントローラであって、当該従動選択駆動装置から送られてきた電流を受けて、交流ＡＣおよび直流ＤＣの調整変換を行った後設定電圧を出力するような電力変換装置、
を包含し、これらの構成ユニットが各空調ユニットにおける排気風力エネルギーの回収ならびに電気エネルギーへと変換を行うことにより、エネルギーを節減し、電気エネルギー効率を向上させるような、空調設備における放熱／送風ユニットの排気エネルギー再生による風力発電の装置としている。
請求項２の発明は、請求項１記載の空調設備における放熱／送風ユニットの排気エネルギー再生による風力発電の装置において、各発電ユニットおよび電力調整コントローラの間に電流レギュレータが設けられ、電流調整の機能を発揮することを特徴とする空調設備における放熱／送風ユニットの排気エネルギー再生による風力発電の装置としている。
請求項３の発明は、請求項１記載の空調設備における放熱／送風ユニットの排気エネルギー再生による風力発電の装置において、各発電ユニットおよび電力調整コントローラの間にバッテリーが設けられ、蓄電機能を発揮することを特徴とする空調設備における放熱／送風ユニットの排気エネルギー再生による風力発電の装置としている。
請求項４の発明は、請求項１記載の空調設備における放熱／送風ユニットの排気エネルギー再生による風力発電の装置において、各発電ユニットおよび電力調整コントローラの間に電流レギュレータおよびバッテリーがこの順に従って設けられ、電流レギュレータにおいて調整された電流がバッテリーに蓄電されることを特徴とする空調設備における放熱／送風ユニットの排気エネルギー再生による風力発電の装置としている。
請求項５の発明は、請求項１記載の空調設備における放熱／送風ユニットの排気エネルギー再生による風力発電の装置において、当該従動選択装置が直流発電機であって、電力変換装置を経て出力、供給されるまでの段階において、各発電ユニットおよび電力調整コントローラの間に直流充電器、バッテリーおよびインバータがこの順に従って増設され、直流発電機が運転、発電後、その電流は直流充電器、バッテリーおよびインバータの順に流れ、最後に配電ボックスに送られてから出力、供給されることを特徴とする空調設備における放熱／送風ユニットの排気エネルギー再生による風力発電の装置としている。
請求項６の発明は、請求項１記載の空調設備における放熱／送風ユニットの排気エネルギー再生による風力発電の装置において、当該従動選択装置が交流発電機であって、電力変換装置を経て出力、供給されるまでの段階において、各発電ユニットおよび電力調整コントローラの間に電流電圧レギュレータが増設され、交流発電機が運転、発電後、その電流は電流電圧レギュレータに送られ、最後に配電ボックスに送られてから出力、供給されることを特徴とする空調設備における放熱／送風ユニットの排気エネルギー再生による風力発電の装置としている。
請求項７の発明は、請求項１記載の空調設備における放熱／送風ユニットの排気エネルギー再生による風力発電の装置において、当該従動選択装置が交流発電機であって、電力変換装置を経て出力、供給されるまでの段階において、各発電ユニットおよび電力調整コントローラの間にコンバータ、バッテリーおよびインバータがこの順に従って増設されており、交流発電機が運転、発電後、その電流はコンバータ、バッテリー、インバータの順に流れ、最後に配電ボックスに送られてから出力・供給されることを特徴とする空調設備における放熱／送風ユニットの排気エネルギー再生による風力発電の装置としている。
請求項８の発明は、請求項１記載の空調設備における放熱／送風ユニットの排気エネルギー再生による風力発電の装置において、数台の当該従動選択装置が同時併用され、おのおのが数台の動力側上方に取付けられていることを特徴とする空調設備における放熱／送風ユニットの排気エネルギー再生による風力発電の装置としている。
請求項９の発明は、請求項１記載の空調設備における放熱／送風ユニットの排気エネルギー再生による風力発電の装置において、当該動力側に動力補助装置が含まれ、当該送風口に設けられていることを特徴とする空調設備における放熱／送風ユニットの排気エネルギー再生による風力発電の装置としている。
請求項１０の発明は、請求項９記載の空調設備における放熱／送風ユニットの排気エネルギー再生による風力発電の装置において、当該動力補助装置において、当該ファンの回転軸上に第一歯車組が取付けられ当該ファンと同時に回転し、第二歯車組が当該発電ユニットと同軸上に取付けられ、当該第一歯車組からの動力伝達を受けて同時に回転して当該発電ユニットを駆動させることを特徴とする空調設備における放熱／送風ユニットの排気エネルギー再生による風力発電の装置としている。
請求項１１の発明は、請求項９記載の空調設備における放熱／送風ユニットの排気エネルギー再生による風力発電の装置において、当該動力補助装置において、当該ファンの回転軸上に第一アイドラーギアセットが取付けられ当該ファンと同時に回転し、第二アイドラーギアセットが当該発電ユニットと同軸上に取付けられ、当該第一アイドラーギアセットからの動力伝達を受けて同時に回転して当該発電ユニットを駆動させることを特徴とする空調設備における放熱／送風ユニットの排気エネルギー再生による風力発電の装置としている。
請求項１２の発明は、ａ. 従動選択駆動装置を動力側に装着、発電ユニットを空調ユニットの上方に設け、ファンを当該空調ユニットにおける送風口のある箇所に設置する、
ｂ. 当該動力側から排気風力エネルギーが発生、当該空調ユニット運転に当たり内部の熱交換器から風力エネルギーが発生し、当該送風口から排出される、
ｃ. 排気風力エネルギーを利用して当該従動選択駆動装置を駆動させ電気エネルギーに変換：発電ユニットを利用して風力エネルギーを再生させると同時に機械エネルギーに変換、更に電気エネルギーへと変換する、
ｄ. 電力変換装置を経て出力、電力供給、電流を電力調整コントローラに送り、交流ＡＣおよび直流ＤＣの調整変換を行った後設定電圧を出力するとしている、
以上のステップを包含することを特徴とする、空調設備における放熱／送風ユニットの排気エネルギー再生による風力発電の方法としている。
請求項１３の発明は、少なくとも直流発電機が設けられ、空調ユニットまたは通風設備による強制駆動を受けて発電を行う一次負荷側、
当該直流発電機と接続され、強制駆動を受けて発電された電気エネルギーを受けて蓄電し、二次負荷側に送電する直流充電器、
少なくとも直流モーターと交流発電機が一体になった同時発電装置が設けられ、当該同時発電装置がバッテリーの電気エネルギーを受けて電圧電流を出力する二次負荷側、
を包含した空調設備における放熱／送風ユニットの排気エネルギー再生による風力発電の装置において、
一次側負荷を風力エネルギーにより強制駆動させ、さらに中間の充電装置を経て直流／交流発電機が一体化された同時発電装置を駆動させ、配電ボックスに送って出力供給を行うようなプロセスを含む、空調設備における放熱／送風ユニットの排気エネルギー再生による風力発電の装置としている。
【発明の効果】
【００１４】
本発明の提供する「空調設備における放熱／送風ユニットの排気エネルギー再生による風力発電の方法および装置」は、結構上および使用上において以下のような特徴および効能を具備している
１、空調ユニットの排気機能を利用して、元来は大気中に排出され消失するものであった風力エネルギーから再生電気エネルギーを生み出す本発明は、そのエネルギーの有効運用により環境保護効果を達成し、同時に一般電力の使用を減少させ、電力費用コストを低減させるものである。
２、当該動力側（１０）となる空調ユニット（１１）は安定的に排気を継続する特性を有しており、風力不足の問題を有効的に解決しており、比較的恒常的な電力供給源となりうるものであって、ビルまたは工場棟にあってＵＰＳシステム採用の装置設備、電器等において運用可能であって、実用性も高い。
３、工場棟またはビル内において複数の動力側（１０）および従動選択装置（２０）を具備している場合には、モジュール化設計により同時併用方式を採用すれば、風力エネルギーを同時に電気エネルギーへと変換でき、電力供給と省エネルギー方面に貢献すること大である。
４、本発明は排気機能を有する各種の空調機器に適用可能であることから、互換性および実用性がきわめて高い。
５、電力需用または産出される電気エネルギーの量に依拠して、当該電流レギュレータ（３２）或いは当該バッテリー（３３）を増設すれば、産業利用性にも富む。
６、当該従動選択装置（２０）が当該動力側（１０）に直接装着できるため占有空間も小さく、ゆえに従来の風力発電はユニット機構も多く広大な面積を必要とする、という問題を解決している。
７、一次側負荷において強制的に直流発電機による電気エネルギー出力を行わせ、充電ならびに二次負荷側を経由して、交流発電機により出力すれば、環境保護上においても最良の再生エネルギーとなり、その経済上の利用価値も最高となる。
８、本発明は当該動力補助装置（１５）を増設することにより、風力不足問題を有効解決しており、電気エネルギー供給を安定化させ、同時に電気エネルギー効率向上の効果も有する。
【発明を実施するための最良の形態】
【００１５】
まず図１と図２を参照されたいが、本発明が提供する「空調設備における放熱／送風ユニットの排気エネルギー再生による風力発電の方法および装置」において、その結構には動力側（１０）、従動選択装置（２０）および電力変換装置（３０）が含まれる。
【００１６】
当該動力側（１０）は空調ユニット（１１）であって、運転に当たり排気風力エネルギーを発生させ、送風口（１２）は当該空調ユニット（１１）の上方に位置し、排気風力エネルギーの排出口である。
【００１７】
当該従動選択装置（２０）は風力エネルギーを利用して動力伝達する一個以上の発電ユニット（２１）であって、当該動力側（１０）上方の定められた位置に設けられ、当該送風口（１２）に設けられるファン（２２）は、排気風力エネルギーを受けて動力伝達し、当該従動選択装置（２０）を回転させて、機械エネルギーを電気エネルギーに変換する。
【００１８】
当該電力変換装置（３０）は電力調整コントローラ（３１）であって、当該従動選択装置（２０）から送られてきた電流を受けて、交流ＡＣおよび直流ＤＣの調整変換を行った後で出力させる。
【００１９】
上述のようなユニット構成により、以下のような段取りで実施を進めていく、
ａ. 従動選択装置（２０）を動力側（１０）に装着、発電ユニット（２１）を空調ユニット（１１）の上方に設け、ファン（２２）を当該空調ユニット（１１）における送風口（１２）のある箇所に設置する、
ｂ. 当該動力側（１０）から排気風力エネルギーが発生、当該空調ユニット（１１）運転に当たり、内部の熱交換器から風力エネルギーが発生し、当該送風口（１２）から排出される、
ｃ. 当該排気風力エネルギーを利用して当該従動選択装置（２０）を駆動させ電気エネルギーに変換、発電ユニット（２１）を利用して風力エネルギーを再生させると同時に機械エネルギーに変換、更に電気エネルギーへと変換する、
ｄ. 電力変換装置（３０）を経て出力、電力供給、電流を電力調整コントローラ（３１）に送り、交流ＡＣおよび直流ＤＣの調整変換を行った後で出力させる。
【００２０】
上述のようなユニット構成により、当該空調ユニット（１１）の排気風力エネルギーを利用し、再生電気エネルギーへと変換することにより、エネルギーを節減できると同時に、良好な電気エネルギー効率を供給することが可能となり、しかも本発明は、丸型または角型水冷式冷却塔、直交流型または向流型水冷式冷却塔といった各種の放熱型または通風型の空調ユニットに適用可能であって、また空冷式屋外空調ユニット、または空冷式チラーユニット等にも応用可能である。
【００２１】
図３は本発明の第二実施例である。電流量が一定の標準に達しない場合は、電力変換装置（３０）を経て出力、供給する段階において、電流レギュレータ（３２）が増設されており、当該発電ユニット（２１）が運転、発電後、電流は当該電流レギュレータ（３２）へと送られ、さらに当該電力調整コントローラ（３１）へと送られ、出力、供給される。
【００２２】
図４は本発明の第三実施例である。電力変換装置（３０）を経て出力、供給する段階において、蓄電を行うバッテリー（３３）が増設されており、当該発電ユニット（２１）が運転、発電後、電流は当該バッテリー（３３）へと送られ電気エネルギーが蓄電され、さらに当該電力調整コントローラ（３１）へと送られるが、発電量が大きく、供給が需要を上回る場合、蓄電作用を発揮して供給安定化をもたらすことができる。
【００２３】
図５は本発明の第四実施例である。電力変換装置（３０）を経て出力、供給する段階において、電流レギュレータ（３２）およびバッテリー（３３）が増設されており、当該発電ユニット（２１）が運転、発電後、電流はひとまず当該電流レギュレータ（３２）へと送られ、そして当該バッテリー（３３）において蓄電され、さらに当該電力調整コントローラ（３１）へと送られ、出力、供給される。
【００２４】
図６は本発明の第五実施例である。従動選択装置（２０）が動力側（１０）に装着される段階において、各当該発電ユニット（２１）において多数併用式が採用され、おのおのが各空調ユニット（１１）上方に設けられており、発電能力の向上により、より大きな省エネルギー効果が達成され、同時により大きな電力供給が可能になるので、互換性と実用性はきわめて高いものがある。
【００２５】
図７は本発明の第六実施例である。当該従動選択装置（２０）が交流発電機（２５）の場合は、電力変換装置（３０）を経て出力、供給されるまでの段階において、コンバータ（３４）、バッテリー（３３）およびインバータ（３５）がこの順に従って増設され、交流発電機（２５）が運転、発電後、その電流はコンバータ（３４）、バッテリー（３３）、インバータ（３５）の順に流れ、最後に配電ボックス（３６）に送られてから出力、供給されるが、当該コンバータ（３４）には直流充電器（３４１）が設けられており、電流飽和による逆流を防止する機能を果たす。
【００２６】
当該従動選択装置（２０）が直流発電機（２６）の場合は、電力変換装置（３０）を経て出力、供給されるまでの段階において、直流充電器（３７）、バッテリー（３３）およびインバータ（３５）がこの順に従って増設され、直流発電機（２６）が運転、発電後、その電流はコンバータ（３４）、バッテリー（３３）およびインバータ（３５）の順に流れ、最後に配電ボックス（３６）に送られてから出力、供給される。
【００２７】
図８は本発明の第七実施例である。電力変換装置（３０）を経て出力、供給されるまでの段階において、少なくとも直流発電機（２６）が設けられた一次負荷側が空調ユニットまたは通風設備による強制駆動を受けて発電し、その電流は直接に直流充電器（３７）に送られ、その後段に設けられたバッテリー（３３）を経て二次負荷側に送られ、当該二次負荷側には少なくとも直流モーターと交流発電機が一体になった同時発電装置（４０）が設けられており、当該同時発電装置（４０）により配電ボックスへと送電され（当該直流モーターと交流発電機を一体化させて同時作動するのが望ましい）、最終的には配電ボックス（３６）から出力、供給される（１１０／２２０ボルト）。もし当該同時発電装置を接続後において、パワーアンプのように、（入力力率／出力電力）の値が調整を経て恒常的に１を上回るようであれば、環境保護再生発電の方法としては最高のものである。
【００２８】
図９と図１０は本発明の第八実施例である。当該動力側（１０）には動力補助装置（１５）が設けられており、当該送風口（１２）の箇所に取付けられる。当該ファン（２２）の回転軸上に第一歯車組（１５１）が取付けられ当該ファン（２２）と同時に回転し、第二歯車組（１５２）は当該発電ユニット（２１）と同軸上に取付けられ、当該第一歯車組（１５１）からの動力伝達を受けて同時に回転して当該発電ユニット（２１）を駆動させる。当該第一歯車組（１５１）および第二歯車組（１５２）のギア比はあらかじめ設定されており、両者の間は動力伝達パーツ（１５３）を経由して動力伝達が行われるが、当該動力伝達パーツ（１５３）としては皮ベルトまたはチェーンが考えられる。
【００２９】
当該空調ユニット（１１）の運転により排気風力エネルギーが排出されてファン（２２）を回転させ、さらに当該発電ユニット（２１）を駆動させて、その運転により風力エネルギーを電気エネルギーへと変換する。ここで、当該空調ユニット（１１）から発生する排気風力エネルギーを再生電気エネルギーへと変換するに当たり、それを補助する作用を具備する当該動力補助装置（１５）を設けて、異なる大きさの歯車組のギア比技術を応用して、回転速度を速め、電気エネルギー効率を向上させることが可能であって、このほかにも、当該動力補助装置（１５）においてアイドラーギアセットを運用して相互に動力伝達することも可能である。
【図面の簡単な説明】
【００３０】
【図１】本発明における実施例の流れ図。
【図２】本発明における実施例の概略図。
【図３】本発明における第二実施例の概略図。
【図４】本発明における第三実施例の概略図。
【図５】本発明における第四実施例の概略図。
【図６】本発明における第五実施例の概略図。
【図７】本発明における第六実施例の概略図。
【図８】本発明における第七実施例の概略図。
【図９】本発明における第八実施例、チェーン伝動式の当該動力補助装置概略図。
【図１０】本発明における第八実施例、ベルト伝動式の当該動力補助装置概略図。
【図１１】従来結構一の概略図。
【図１２】従来結構二の概略図。
【符号の説明】
【００３１】
（１０）動力側              （８１）風力発電機
（１１）空調ユニット        （８２）ブレード
（１２）送風口              （８３）モーター
（１５）動力補助装置        （８４）発電ユニット
（１５１）第一歯車組        （８５）風力制御装置
（１５２）第二歯車組        （８６）バッテリー
（１５３）動力伝達パーツ    （８７）電力コントローラ
（２０）従動選択駆動装置    （９１）太陽エネルギー発電ユニット
（２１）発電ユニット        （９２）太陽エネルギー制御装置
（２２）ファン
（２５）交流発電機
（２６）直流発電機
（３０）電力変換装置
（３１）電力調整コントローラ
（３２）電流レギュレータ
（３３）バッテリー
（３４）コンバータ
（３５）インバータ
（３６）配電ボックス
（３７）（３４１）直流充電器
（４０）同時発電装置
【図１】
2006291946.tif 000003
【図２】
2006291946.tif 000004
【図３】
2006291946.tif 000005
【図４】
2006291946.tif 000006
【図５】
2006291946.tif 000007
【図６】
2006291946.tif 000008
【図７】
2006291946.tif 000009
【図８】
2006291946.tif 000010
【図９】
2006291946.tif 000011
【図１０】
2006291946.tif 000012
【図１１】
2006291946.tif 000013
【図１２】
2006291946.tif 000014